(57)【要約】【課題】ウォブル再生信号単独からグルーブ／ランド識別情報を得ることができる光ディスク装置を提供する。【解決手段】グルーブアドレスとランドアドレスとがウォブルの位相変調によって記録されている光ディスクに対して記録及び再生を行う光ディスク装置において、光ディスクを再生して得られるウォブル信号が、光ディスクのグルーブから再生されたウォブル信号であるのかランドから再生されたウォブル信号であるのかをウォブル信号に基づいて判定するグルーブ／ランド判定部と、ウォブル信号からアドレスデータをデコードし、グルーブ／ランド判定部の判定結果に基づいてグルーブアドレスとランドアドレスの何れかを選択してトラックアドレスとするアドレスデコード部と、を備えたことを特徴とする。【選択図】  図８
2008186519.tif 000002
【特許請求の範囲】
【請求項１】
グルーブアドレスとランドアドレスとがウォブルの位相変調によって記録されている光ディスクに対して記録及び再生を行う光ディスク装置において、
前記光ディスクを再生して得られるウォブル信号が、前記光ディスクのグルーブから再生されたウォブル信号であるのかランドから再生されたウォブル信号であるのかを前記ウォブル信号に基づいて判定するグルーブ／ランド判定部と、
前記ウォブル信号からアドレスデータをデコードし、前記グルーブ／ランド判定部の判定結果に基づいて前記グルーブアドレスと前記ランドアドレスの何れかを選択してトラックアドレスとするアドレスデコード部と、
を備えたことを特徴とする光ディスク装置。
【請求項２】
前記グルーブ／ランド判定部は、
前記グルーブアドレスのデータ領域の何れかにおいて、不定データが存在する場合には、再生されたウォブル信号はランドから再生されたウォブル信号であると判定し、
前記ランドアドレスのデータ領域の何れかにおいて、不定データが存在する場合には、再生されたウォブル信号はグルーブから再生されたウォブル信号であると判定する、
ことを特徴とする請求項１に記載の光ディスク装置。
【請求項３】
前記グルーブ／ランド判定部は、
位相検波前の前記ウォブル信号に、その振幅が所定の値よりも小さな信号が含まれるとき、前記不定データが存在すると判断する、
ことを特徴とする請求項２に記載の光ディスク装置。
【請求項４】
前記グルーブ／ランド判定部は、
前記ウォブル信号を位相検波した信号に、その絶対値の振幅が所定の値よりも小さな信号が含まれるとき、前記不定データが存在すると判断する、
ことを特徴とする請求項２に記載の光ディスク装置。
【請求項５】
前記グルーブ／ランド判定部は、
同じトラックから再生されたウォブル信号に基づいてデコードした複数のグルーブアドレスが異なるアドレスを示す場合は、そのウォブル信号はランドから再生されたウォブル信号であると判定し、
同じトラックから再生されたウォブル信号に基づいてデコードした複数のランドアドレスが異なるアドレスを示す場合は、そのウォブル信号はグルーブから再生されたウォブル信号であると判定する、
ことを特徴とする請求項１に記載の光ディスク装置。
【請求項６】
グルーブアドレスとランドアドレスとがウォブルの位相変調によって記録されている光ディスクのアドレスデータ検出方法において、
（ａ）前記光ディスクを再生して得られるウォブル信号が、前記光ディスクのグルーブから再生されたウォブル信号であるのかランドから再生されたウォブル信号であるのかを前記ウォブル信号に基づいて判定し、
（ｂ）前記ウォブル信号からアドレスデータをデコードし、前記グルーブ／ランド判定部の判定結果に基づいて前記グルーブアドレスと前記ランドアドレスの何れかを選択してトラックアドレスとする、
ステップを備えたことを特徴とする光ディスクのアドレスデータ検出方法。
【請求項７】
ステップ（ａ）では、
前記グルーブアドレスのデータ領域の何れかにおいて不定データが存在する場合には、再生されたウォブル信号はランドから再生されたウォブル信号であると判定し、
前記ランドアドレスのデータ領域の何れかにおいて、不定データが存在する場合には、再生されたウォブル信号はグルーブから再生されたウォブル信号であると判定する、
ことを特徴とする請求項６に記載の光ディスクのアドレスデータ検出方法。
【請求項８】
ステップ（ａ）では、
位相検波前の前記ウォブル信号に、その振幅が所定の値よりも小さな信号が含まれるとき、前記不定データが存在すると判断する、
ことを特徴とする請求項７に記載の光ディスクのアドレスデータ検出方法。
【請求項９】
ステップ（ａ）では、
前記ウォブル信号を位相検波した信号に、その絶対値の振幅が所定の値よりも小さな信号が含まれるとき、前記不定データが存在すると判断する、
ことを特徴とする請求項７に記載の光ディスクのアドレスデータ検出方法。
【請求項１０】
ステップ（ａ）では、
同じトラックから再生されたウォブル信号に基づいてデコードした複数のグルーブアドレスが異なるアドレスを示す場合は、そのウォブル信号はランドから再生されたウォブル信号であると判定し、
同じトラックから再生されたウォブル信号に基づいてデコードした複数のランドアドレスが異なるアドレスを示す場合は、そのウォブル信号はグルーブから再生されたウォブル信号であると判定する、
ことを特徴とする請求項６に記載の光ディスクのアドレス検出方法。
【発明の詳細な説明】
【技術分野】
【０００１】
本発明は、光ディスク装置、及び光ディスクのアドレスデータ検出方法に係り、特に、記録可能な光ディスクに対して記録及び再生を行う光ディスク装置、及び光ディスクのアドレスデータ検出方法に関する。
【背景技術】
【０００２】
記録可能な光ディスクでは、光ディスクの物理アドレスを示すアドレスデータが予めその光ディスク上に記録されている。光ディスクにデータを記録しようとする場合、まずこのアドレスデータを再生し、再生したアドレスデータから光ディスク上の位置を特定してデータを記録している。
【０００３】
アドレスデータの記録方式は光ディスクの種類によって異なっている。例えば、トラックに予めアドレスデータをピットとして形成するプレピット方式や、トラックのうねり（ウォブル）を位相変調することによってアドレスデータを記録するウォブル変調方式がある。
【０００４】
ＨＤ  ＤＶＤ−ＲＡＭでは、後者のウォブル変調方式を採用している。また、ＨＤ  ＤＶＤ−ＲＡＭでは、トラックを構成するグルーブとランドの両方にデータを記録する方式を採用している。このため、ウォブル変調方式によって記録されているアドレスデータには、グルーブアドレスとランドアドレスの両方のアドレスが含まれている。
【０００５】
特許文献１には、このようなＨＤ  ＤＶＤ−ＲＡＭのアドレスデータ再生の信頼性を向上させる技術が開示されている。
【特許文献１】特開２００５−１６６１２０号公報
【発明の開示】
【発明が解決しようとする課題】
【０００６】
ＨＤ  ＤＶＤ−ＲＡＭでは、アドレスデータがＷＡＰ（Wobble  Address  in  Periodic  Position）と呼ばれる１記録長単位に記録されている。ＷＡＰには先頭に同期フィールド（SYNC  field）が設けられており、この同期フィールドに続いてアドレスフィールド（Address  Field）が設けられている。前述したグルーブアドレスとランドアドレスはこのアドレスフィールドの中の異なる領域にそれぞれ含まれている。
【０００７】
ウォブル再生信号からグルーブアドレス又はランドアドレスを抽出する場合、まずＷＡＰの同期フィールドを検出し、検出した同期フィールドから所定の遅延量だけ遅らせてアドレスフィールド内のグルーブアドレス及びランドアドレスの双方を抽出している。
【０００８】
現在再生しているトラックがグルーブの場合には、グルーブアドレスを選択してそのトラックアドレスとし、現在再生しているトラックがランドの場合には、ランドアドレスを選択してそのトラックアドレスとしている。
【０００９】
このため、抽出したグルーブアドレス及びランドアドレスから正しいトラックアドレスを得るためには、現在再生しているトラックがグルーブであるのかランドであるのかを識別する情報（以下、グルーブ／ランド識別情報という。）が必要となる。
【００１０】
従来の光ディスク装置では、グルーブ／ランド識別情報は、ウォブル再生信号からアドレスデータを抽出する機能ブロックとは別の機能ブロック、例えば、トラックサーボ等から得ていた。即ち、ウォブル再生信号のみからグルーブ／ランド識別情報を得る機能は有していなかった。
【００１１】
このため、グルーブ／ランド識別情報がトラックサーボ等の外部機能ブロックから得られない状況が発生した場合には、抽出したグルーブアドレスとランドアドレスの何れを選択すべきか不明となり、正しいトラックアドレスを得ることができない。
【００１２】
また、ウォブル再生方式の改善等を目的として、ウォブル再生信号の評価を行うことが製品開発段階等でしばしば行われるが、従来は、ウォブル再生信号単独からはグルーブの再生信号なのかランドの再生信号なのかを判定することができず、ウォブル再生信号の評価を行ううえで不便であった。
【００１３】
本発明は上記事情に鑑みてなされたもので、ウォブル再生信号単独からグルーブ／ランド識別情報を得ることができる光ディスク装置、及び光ディスクのアドレスデータ検出方法を提供することを目的とする。
【課題を解決するための手段】
【００１４】
上記課題を解決するため、本発明に係る光ディスク装置は、請求項１に記載したように、グルーブアドレスとランドアドレスとがウォブルの位相変調によって記録されている光ディスクに対して記録及び再生を行う光ディスク装置において、前記光ディスクを再生して得られるウォブル信号が、前記光ディスクのグルーブから再生されたウォブル信号であるのかランドから再生されたウォブル信号であるのかを前記ウォブル信号に基づいて判定するグルーブ／ランド判定部と、前記ウォブル信号からアドレスデータをデコードし、前記グルーブ／ランド判定部の判定結果に基づいて前記グルーブアドレスと前記ランドアドレスの何れかを選択してトラックアドレスとするアドレスデコード部と、を備えたことを特徴とする。
【００１５】
また、上記課題を解決するため、本発明に係る光ディスクのアドレスデータ検出方法は、請求項６に記載したように、グルーブアドレスとランドアドレスとがウォブルの位相変調によって記録されている光ディスクのアドレスデータ検出方法において、（ａ）前記光ディスクを再生して得られるウォブル信号が、前記光ディスクのグルーブから再生されたウォブル信号であるのかランドから再生されたウォブル信号であるのかを前記ウォブル信号に基づいて判定し、（ｂ）前記ウォブル信号からアドレスデータをデコードし、前記グルーブ／ランド判定部の判定結果に基づいて前記グルーブアドレスと前記ランドアドレスの何れかを選択してトラックアドレスとする、ステップを備えたことを特徴とする。
【発明の効果】
【００１６】
本発明に係る光ディスク装置、及び光ディスクのアドレスデータ検出方法によれば、ウォブル再生信号単独からグルーブ／ランド識別情報を得ることができる。
【発明を実施するための最良の形態】
【００１７】
本発明の実施形態に係る光ディスク装置１、および光ディスクのアドレスデータ検出方法について添付図面を参照して説明する。
【００１８】
（１）第１の実施形態
図１は、本実施形態に係る光ディスク装置１の構成例を示す図である。光ディスク装置１は、記録および再生が可能な光ディスク１００に対して、データの記録および再生を行うものである。光ディスク１００は、グルーブアドレスとランドアドレスとがウォブルの位相変調によって記録されている形態の光ディスクであり、この種の典型例として、ＨＤ  ＤＶＤ−ＲＡＭがある。以下、光ディスク１００がＨＤ  ＤＶＤ-ＲＡＭであるものとして説明する。
【００１９】
光ディスク装置１は、パーソナルコンピュータ等のホストコンピュータ１０１に接続されている。
【００２０】
光ディスク１００に対してデータを記録するときは、記録データがインタフェース３を介してホストコンピュータ１０１から記録部４に入力される。記録部４では、記録データに対して符号変調等の処理を行った後、ピックアップ５へ出力する。ピックアップ５は、内蔵するレーザ発振器から記録用のレーザパワーでレーザ光を出力し、光ディスク１００の記録面にマークやスペースを形成する。
【００２１】
光ディスク１００に記録されているデータを再生するときには、再生用のレーザパワーで光ディスク１００の記録面を照射する。光ディスク１００からの反射光は、ピックアップ５からＲＦ信号として出力され、ＲＦアンプ６でレベル調整等が行われた後、再生部７に入力される。再生部７ではＲＦ信号を復調し、さらに符号復調や誤り訂正等の処理を行った後、インタフェース３を介して再生データをホストコンピュータ１０１に出力する。
【００２２】
また、ＲＦアンプ６の出力の一部はサーボ制御部９へも入力される。サーボ制御部９では、トラッキングサーボ制御やフォーカスサーボ制御が行われ、これらのサーボ制御信号はピックアップ５へフィードバックされ、レーザ光の焦点位置のフォーカス方向やトラッキング方向の位置制御に供される。制御部８は、光ディスク装置１全体の制御を行っている。
【００２３】
光ディスク１００には、ウォブルとよばれる正弦波状のうねりを持った溝が形成されている。このウォブルには光ディスク１００状の物理アドレス情報が２値位相変調されて埋め込まれている。
【００２４】
このウォブルの波形は、ＲＦアンプ６によって抽出され、ウォブル信号として物理アドレス検出部１０へ入力される。物理アドレス検出部１０で検出された物理アドレスは、制御部８へ出力され、記録時や再生時に使用される。
【００２５】
本発明の特徴は主にこの物理アドレス検出部１０の構成と動作に関するものであるが、その説明に先立ち、光ディスク１００のウォブル信号についてＨＤ  ＤＶＤ-ＲＡＭを例として説明する。
【００２６】
図２は、ＨＤ  ＤＶＤ-ＲＡＭにウォブルとして記録されている物理アドレスのデータ構造を示す図である。１つの物理アドレスは、ＷＡＰ（Wobble  Address  in  Periodic  Position）と呼ばれる記録長単位に記録されている。ＷＡＰは先頭から、３ビットのセグメント情報、６ビットのセグメントアドレス、５ビットのゾーンアドレス、１ビットのパリティ、１２ビットのグルーブトラックアドレス、及び同じく１２ビットのランドトラックアドレスの合計３９ビットから構成されている。
【００２７】
このうち、セグメント情報は現在予備領域として使われており、またパリティビットは先頭からゾーンアドレスまでの１４ビットに対するパリティビットである。従って、実質的に光ディスク１００の物理アドレスを表わすデータは、セグメントアドレス、ゾーンアドレス、グルーブトラックアドレス、及びランドアドレスということになる。
【００２８】
このうち、セグメントアドレスは、光ディスク１００を周方向に分割した分割領域に割り付けられるアドレスであり、ゾーンアドレスは光ディスク１００を径方向に分割した分割領域に割り付けられるアドレスである。また、グルーブトラックアドレスとランドアドレスは、いずれもトラックに割り付けられたアドレスである。
【００２９】
ＨＤ  ＤＶＤ-ＲＡＭは、グルーブとランドの２種類のトラックの両方にデータを記録する形態のディスクであるが、後述する理由により、再生するトラックがグルーブの場合には、ＷＡＰ内のグルーブアドレスの領域に記録されているトラックアドレスを読み取り、再生するトラックがランドの場合には、ＷＡＰ内のランドアドレスの領域に記録されているトラックアドレスを読み取る必要がある。
【００３０】
このため、現在再生しているトラックの種類に応じて、ＷＡＰのグルーブトラックアドレスとランドトラックアドレスのいずれかを選択して現在再生中のトラックアドレスとする処理が必要となる。
【００３１】
図２に示した３９ビットのＷＡＰデータは、光ディスク１００上に位相変調されたウォブルとして記録されている。図３乃至図５は、ＷＡＰデータとウォブルとの対応を示す図である。
【００３２】
図３は、ＷＡＰ全体のレイアウトを示す図である。１つのＷＡＰは、番号０から番号１６までの合計１７個のＷＤＵ（Wobble  Data  Unit）と呼ばれるユニットから構成されている。各ＷＤＵは、いずれも８４波のウォブルからなっており、ＷＡＰ全体としては、１４２８波のウォブル（１７×８４ウォブル）から構成されている。ＷＡＰは１ＷＤＵからなる同期フィールド、１３ＷＤＵからなるアドレスフィールド、及び３ＷＤＵからなるユニティフィールドを有している。物理アドレスは、このうちアドレスフィールドに分割されて記録されている。
【００３３】
図４（ａ）は、同期フィールドのＷＤＵのウォブルの配置を示す図であり、図４（ｂ）は、ユニティフィール内のＷＤＵのウォブル配置を示す図である。
【００３４】
ウォブルには、符号“０”に対応するＮＰＷと呼ばれる波形（図４（ｃ））と、符号“１”に対応するＩＰＷと呼ばれる波形（図４（ｄ））の２種類がある。互いの位相が１８０度異なる２種類の波形であり、これらを組み合わせることによって符号“１”と符号“０”とに対応する位相変調を行っている。
【００３５】
同期フィールドのＷＤＵは、先頭から６ウォブルのＩＰＷ、４ウォブルのＮＰＷ、６ウォブルのＩＰＷと続き、その後６８ウォブルのＮＰＷが続く構成である。符号で表わすと、“１１１１１１００００１１１１１１００００・・・・”となっており、先頭１６符号のパターンを検出することによって、１ＷＡＰの同期検出が可能となる。
【００３６】
ユニティフィールドの３つのＷＤＵは総てＮＰＷで構成されており、符号で表わすとユニティフィールドは総て符号“０”から構成されることになる。
【００３７】
図５は、アドレスフィールド内のＷＤＵのウォブル構成を示す図である。図５では、番号７のＷＤＵのウォブル構成を例示しているが、アドレスフィールド内のＷＤＵ（番号１から番号１３までのＷＤＵ）は何れも同じウォブル構成をとっている。
【００３８】
アドレスフィールドのＷＤＵは、先頭に４ウォブルのＩＰＷが配置され、これに続くビット２、ビット１、ビット０の３ビットに夫々４ウォブル割り付けられている。その後６８ウォブルのＮＰＷが続いて合計で８４ウォブルとなっている。
【００３９】
ビット２、ビット１、ビット０は、夫々データビット「０」又はデータビット「１」を表わすビットであり、「０」の場合には４ウォブルのＮＰＷが、また「１」の場合には４ウォブルのＩＰＷが割り付けられる。１つのＷＤＵで３ビットのデータを表わすようになっており、番号１から番号１３までのＷＤＵによって、図２に示した３９ビットの物理アドレスを表現するようになっている。
【００４０】
前述したように、１つのＷＡＰにはトラックアドレスとしてグルーブとランドの両方のトラックアドレスを持つ構造となっているが、この理由と、夫々のトラックアドレス領域から生成されるウォブル信号波形について図６を用いて説明する。
【００４１】
図６（ａ）は、グルーブトラックの再生時に（レーザビームがグルーブトラック上にある時に）、グルーブトラックアドレスの領域（ＷＤＵ番号６から９の何れか）のウォブル信号を再生している状況と、そのウォブル信号の波形を例示する図である。再生しているトラックは、グルーブトラックｎ（図６（ａ）において斜線で示したトラック）である。
【００４２】
グルーブトラックアドレスの領域では、グルーブの上下の境界が同位相で変化するように、即ち、同じ幅の溝（グルーブ）のうねりで変化するように溝の形状が形成されている。図６（ａ）に示したように、この２ウォブル分の区間では、グルーブトラックｎの上下の境界は同位相で変化しており、この結果、グルーブトラックｎから再生されるウォブル信号は、正常な振幅のウォブル波形として出力される。
【００４３】
一方、図６（ｂ）は、グルーブトラックの再生時に、ランドトラックアドレスの領域（ＷＤＵ番号１０から１３の何れか）のウォブル信号を再生している状況と、そのウォブル信号の波形を例示する図である。ランドトラックアドレスの領域では、ランドの両側壁の形状が同位相で変化するように、即ち、同じ幅の凸部（ランド）のうねりで変化するようにランドの形状が形成されている。このため、ランドとランドに挟まれたグルーブ（溝）幅は同じ幅にならず、グルーブの両側壁の形状の位相が反転するウォブルがどうしても存在する。図６（ｂ）は、ランドトラックアドレスの領域であるため、ランドトラックｍとランドトラックｍ−１のランドの幅はいずれも同じ幅となっている。しかしながら、トラックアドレスがｍとｍ−１とでそれぞれ異なるため、図６（ｂ）に例示したように、ランドトラックアドレスｍではＮＰＷが２波連続し、ランドトラックアドレスｍ−１ではＮＰＷからＩＰＷに変化する場所が生じうる。この結果、２つのランドトラックに挟まれたグルーブトラックｍの幅は一定とならず、グルーブの両側壁の形状の位相は逆相となる。
【００４４】
このため、グルーブトラックｍ（図６（ｂ）の斜線で示したトラック）の再生時に、ランドトラックアドレスの領域を再生すると、この領域の再生信号は、グルーブの両側からの反射信号が互いに打ち消しあうため、正常なウォブル信号の振幅に比べると遥かに小さな、ゼロに近い振幅のウォブル信号となる。この結果、ウォブル信号を位相検波したときに、“０”となるか“１”となるかが確定しない不定信号となってしまう。
【００４５】
このような不定となる領域を最小限とするため、トラックアドレスにはグレイコードが用いられている。グレイコードを用いたトラックアドレスでは、例えばアドレスがｍ−１からｍに１つだけ増加した場合、トラックアドレスを表わすビット列はそのうちの１ビットだけ変化することになる。このことは、ランドトラックアドレスｍ−１とランドトラックアドレスｍの間にあるグルーブトラックｍにおけるランドトラックアドレス領域には、必ず１ビット分の不定領域が存在することを意味している。
【００４６】
つまり、グルーブトラックを再生しているときに得られるランドトラックアドレス領域からの再生信号には必ず１ビット分の不定領域が存在し、逆に、ランドトラックを再生しているときに得られるグルーブトラックアドレス領域からの再生信号には必ず１ビット分の不定領域が存在することになる。
【００４７】
この特徴を利用して、再生中のトラックがグルーブであるのかランドであるのかを示すグルーブ／ランド識別情報を再生中のウォブル信号のみから得て、その情報に基づいてウォブル信号から物理アドレスを抽出しようとするのが本発明のポイントである。
【００４８】
図７は、本実施形態に対する比較例として、従来の物理アドレス抽出部２００の構成例を示す図である。物理アドレス抽出部２００は、位相検波部１１、ウォブルＰＬＬ部１２、及びアドレスデコード部１３を有しており、アドレスでコード部１３はさらにその内部に２値化部１４、シンク検出部１５、アドレス抽出部１６、及びカウンタ１７を有している。
【００４９】
ウォブルＰＬＬ部１２では、ウォブル信号のウォブル波に同期したウォブルクロックを生成すると共に、ウォブルクロックからＳＩＮ基準波を生成する。位相検波部１１では、このＳＩＮ基準波を用いて入力されるウォブル信号の位相検波を行う。
【００５０】
位相検波されたウォブル信号は、２値化部１３にて２値化されアドレス抽出部１６に入力される。一方、位相検波されたウォブル信号はシンク検出部１５へも入力され、ここでＷＡＰの先頭の同期フィールドにある同期パターンが検出される。
【００５１】
同期パターンの検出によりＷＡＰの先頭位置が認識される。この先頭位置を基準としたウォブルクロックのカウント値がカウンタ１７で生成される。ＷＡＰのアドレスフィールド内にある物理アドレスのデータビットの位置はウォブルクロックの単位で既知であり、カウンタ１７のカウント値に基づいてセグメントアドレス、及びゾーンアドレスが逐次週出される。
【００５２】
一方、グルーブ／ランド識別情報が、物理アドレス検出部２００の外部から、例えばサーボ制御部９或いは制御部８から物理アドレス検出部２００に入力される。アドレス抽出部１６ではグルーブ／ランド識別情報に基づき、現在再生中のトラックがグルーブの場合にはグルーブトラックアドレスを、また現在再生中のトラックがランドの場合にはランドトラックアドレスをトラックアドレスとして抽出する。
【００５３】
このように、従来の物理アドレス検出部２００においては、トラックアドレスを抽出するためには、外部からのグルーブ／ランド識別情報が必要であった。
【００５４】
これに対して、本発明の実施形態に係る光ディスク装置１の物理アドレス検出部１０では、ウォブル信号のみからグルーブ／ランド識別情報を得ることができる構成としている。図８は、本実施形態に係る物理アドレス検出部１０の構成例を示す図であり、従来の物理アドレス検出部２００の構成にグルーブ／ランド判定部２０が付加された構成となっている。
【００５５】
グルーブ／ランド判定部２０は、不定ウォブル検出部２１、シンク検出部（２）２２、及び不定ウォブル位置判定部２３を備えて構成されている。グルーブ／ランド判定部２０の動作を、図９を参照して説明する。
【００５６】
不定ウォブル検出部２１では、位相検波信号において不定レベルとなる信号の位置を検出する。一方、シンク検出部（２）では、ＷＡＰの先頭の同期フィールドにある同期パターンを検出する。シンク検出部（２）の機能はアドレスデコード部１３にあるシンク検出部（１）の機能と同じものであり、何れか一方を省略しても良い。
【００５７】
不定ウォブル位置判定部２３では、同期パターンの検出位置と不定レベルの信号の位置とから、不定レベルがグルーブトラックアドレス領域で発生したのか、ランドトラックアドレス領域で発生したのかを判定する。
【００５８】
前述したように、グルーブトラックを再生しているときに得られるランドトラックアドレス領域からの再生信号には必ず１ビット分の不定領域が存在し、逆に、ランドトラックを再生しているときに得られるグルーブトラックアドレス領域からの再生信号には必ず１ビット分の不定領域が存在する。
【００５９】
従って、不定ウォブル位置判定部２３では、図９中のＡ点の「×」印のようにランドトラックアドレス領域で不定レベルの信号が発生した場合には現在再生中のトラックはグルーブであると判定し、図９中のＢ点の「×」印のようにグルーブトラックアドレス領域で不定レベルの信号が発生した場合には現在再生中のトラックはランドであると判定する。この判定に基づいてグルーブ／ランド識別情報を生成する。
【００６０】
不定レベルの検出は、位相検波出力を用いてもよいし位相検波前のウォブル信号の振幅を用いてもよい。
【００６１】
図１０は、正常なウォブル及び不定ウォブルにおけるウォブル信号の振幅と位相検波出力との相違を例示する図である。
【００６２】
正常なウォブル（無変調：ＮＰＷ、又は変調：ＩＰＷ）に対しては、ウォブル入力信号は所定の振幅を示し、またこれらの位相検波出力は正又は負の大きな値を示す（図１０（ａ）又は図１０（ｂ））。
【００６３】
一方、不定ウォブル入力対しては、ウォブル入力信号の振幅は図１０（ｃ）に示したように正常にウォブルと比べると小さな振幅となり、またその位相検波出力もゼロに近い小さな値を示す。
【００６４】
図５等に示したように、アドレスフィールドデータの１ビットは４ウォブルで表現される。従って、図１１に示したように、実際の再生信号では１ビットの不定期間は４ウォブル分の不定期間として現れる。図１１は、グルーブを再生しているときのウォブル信号と位相検波信号とを例示した図であり、グルーブトラックアドレス領域からの信号は正常（不定箇所が存在しない）であり、ランドトラックアドレス領域からの信号に１ビット分（４ウォブル分）の不定箇所が存在することを示している。
【００６５】
図１２は、不定箇所の判定を、位相検波出力ではなくウォブル信号の振幅から判定する形態の物理アドレス検出部１０ａの構成例を示す図である。この形態では、不定ウォブル検出部２１へはウォブル信号が直接入力され、ウォブル信号の振幅値によって不定箇所の有無が判定される。それ以外は図８の構成と同一である。
【００６６】
（２）第２の実施形態
図１３は、第２の実施形態に係る物理アドレス検出部１０ｂの構成例を示す図である。第１の実施形態では、ウォブル信号や位相検波信号の振幅情報に基づいて不定レベルの有無を判定し、不定箇所の位置によってグルーブの再生中かランドの再生中かを判定している。
【００６７】
これに対して、第２の実施形態では、複数のグルーブアドレスデータ及びランドアドレスデータを一旦抽出した後、こられのデータの内容によって現在再生中のトラックがグルーブなのかランドなのかを判定する形態である。
【００６８】
光ディスク１００を回転させながら再生すると、同じトラックの１周分の期間には同じトラックアドレスが出力されるはずである。しかしながら、図１４（ａ）に例示したように、グルーブトラックの再生中にランドトラックアドレス領域から得られるトラックアドレスデータには不定ビットが存在するため、ランドトラックアドレス領域から得られるトラックアドレスは一定の値とならない。ただし、この場合グルーブトラックアドレス領域から得られるトラックアドレスは同じトラックアドレスを示す。
【００６９】
この特徴を利用して、同じトラックの１周分の期間の中から複数（少なくとも２以上）のグルーブトラックアドレスとランドトラックアドレスとを抽出し、アドレスの変化の有無によって現在再生しているトラックのグルーブ／ランドを識別することができる。
【００７０】
例えば、図１４（ａ）の場合には、ランドトラックアドレスが変化し、グルーブトラックアドレスが一定値を示すことになるため、現在再生中のトラックはグルーブであると判定する。また、図１４（ｂ）の場合には、グルーブトラックアドレスが変化し、ランドトラックアドレスが一定値を示すことになるため、現在再生中のトラックはランドであると判定する。これらの判定に基づいてグルーブ／ランド識別情報を生成し、グルーブトラックアドレスとランドトラックアドレスの何れか一方をアドレス抽出部１６で抽出する。
【００７１】
第２の実施形態に係る物理アドレス検出部１０ｂも、第１の実施形態と同様に、サーボ制御部９等の他の機能ブロックからの情報を必要とすることなく、ウォブル信号のみからグルーブ／ランド識別情報を得ることができる。
【００７２】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７３】
【図１】本発明の一実施形態に係る光ディスク装置の構成例を示す図。
【図２】ＨＤ  ＤＶＤ−ＲＡＭのＷＡＰデータ構造を示す図。
【図３】ＷＡＰのウォブルレイアウトを示す図。
【図４】同期フィールド及びユニティフィールドのウォブルレイアウトを示す図。
【図５】アドレスフィールドのウォブルレイアウトを示す図。
【図６】（ａ）は、グルーブトラックの再生時に、グルーブトラックアドレスの領域のウォブル信号を再生している状況とそのウォブル信号の波形を例示する図、（ｂ）は、グルーブトラックの再生時に、ランドトラックアドレスの領域のウォブル信号を再生している状況とそのウォブル信号の波形を例示する図。
【図７】従来の物理アドレス検出部の構成例を示す図。
【図８】本発明の第１の実施形態に係る物理アドレス検出部の構成例を示す図。
【図９】グルーブ／ランド判定部の動作概念を示す図。
【図１０】正常なウォブルと不定なウォブルの信号波形と位相検波値を例示する図。
【図１１】グルーブを再生しているときのウォブル信号と位相検波信号とを例示する図。
【図１２】第１の実施形態において、位相検波前のウォブル信号の振幅から不定ウォブルを検出する形態の物理アドレス検出部の構成例を示す図。
【図１３】第２の実施形態に係る物理アドレス検出部の構成例を示す図。
【図１４】第２の実施形態に係る物理アドレス検出部の動作概念を示す図。
【符号の説明】
【００７４】
１  光ディスク装置
８  制御部
９  サーボ制御部
１０  物理アドレス検出部
１１  位相検波部
１２  ウォブルＰＬＬ部
１３  アドレスデコード部
１６  アドレス抽出部
２０  グルーブ／ランド判定部
２１  不定ウォブル検出部
２２  シンク検出部
２３  不定ウォブル位置判定部
【図１】
2008186519.tif 000003
【図２】
2008186519.tif 000004
【図３】
2008186519.tif 000005
【図４】
2008186519.tif 000006
【図５】
2008186519.tif 000007
【図６】
2008186519.tif 000008
【図７】
2008186519.tif 000009
【図８】
2008186519.tif 000010
【図９】
2008186519.tif 000011
【図１０】
2008186519.tif 000012
【図１１】
2008186519.tif 000013
【図１２】
2008186519.tif 000014
【図１３】
2008186519.tif 000015
【図１４】
2008186519.tif 000016